(57)【要約】本発明は、容器（２０）を具備した記憶補助デバイス（１０）に関するものであって、容器の前面パネル（２１）が、手書きの消去可能な表示内容を受領し得るよう構成された複数の部分（２４）を備え、前面パネルが、さらに、複数の部分のそれぞれに関連して設置された複数のインジケータライト（２６）を備えている。記憶補助デバイス（１０）は、電子的日時計時手段や、マイクロプロセッサ手段や、デジタルデータ格納手段や、前面パネルに配置されたデジタルディスプレイ手段や、可聴音アラームを鳴らし得るよう構成された可聴音生成手段や、デバイスに対しての電源をなす一次電池を収容するためのバッテリ隔室や、前面パネルに配置された複数のファンクションキー、を具備することができる。
2004530903.tif 000002
【特許請求の範囲】
【請求項１】
容器を具備した記憶補助デバイスであって、
前記容器の前面パネルが、手書きの消去可能な表示内容を受領し得るよう構成された複数の部分を備え、
前記前面パネルが、さらに、前記複数の部分のそれぞれに関連して設置された複数のインジケータライトを備えていることを特徴とする記憶補助デバイス。
【請求項２】
請求項１記載の記憶補助デバイスにおいて、
電子的日時計時手段を具備していることを特徴とする記憶補助デバイス。
【請求項３】
請求項２記載の記憶補助デバイスにおいて、
マイクロプロセッサ手段と、デジタルデータ格納手段と、を具備していることを特徴とする記憶補助デバイス。
【請求項４】
請求項３記載の記憶補助デバイスにおいて、
前記前面パネルに配置されたデジタルディスプレイ手段を具備していることを特徴とする記憶補助デバイス。
【請求項５】
請求項４記載の記憶補助デバイスにおいて、
可聴音アラームを鳴らし得るよう構成された可聴音生成手段を具備していることを特徴とする記憶補助デバイス。
【請求項６】
請求項５記載の記憶補助デバイスにおいて、
前記デバイスに対しての電源をなす一次電池を収容するためのバッテリ隔室を具備していることを特徴とする記憶補助デバイス。
【請求項７】
請求項６記載の記憶補助デバイスにおいて、
前記前面パネルに配置された複数のファンクションキーを具備していることを特徴とする記憶補助デバイス。
【請求項８】
請求項７記載の記憶補助デバイスにおいて、
前記複数のファンクションキーが、前記デジタルディスプレイ手段上に表示して前記デジタルデータ格納手段内に格納するためのデータを入力し得るよう構成されていることを特徴とする記憶補助デバイス。
【請求項９】
請求項８記載の記憶補助デバイスにおいて、
前記複数のファンクションキーが、前記デジタルデータ格納手段からデータを読み出し得るとともに読み出されたデータを前記デジタルディスプレイ手段上に表示し得るよう構成されていることを特徴とする記憶補助デバイス。
【請求項１０】
請求項９記載の記憶補助デバイスにおいて、
前記複数のファンクションキーが、前記日時計時手段から日付データおよび時刻データを読み出し得るとともに読み出されたデータを前記デジタルディスプレイ手段上に表示し得るよう構成されていることを特徴とする記憶補助デバイス。
【請求項１１】
請求項１０記載の記憶補助デバイスにおいて、
前記複数のデータ領域の各々に関して、前記デジタルデータ格納手段内において、前記複数のデータ領域にそれぞれ対応した前記インジケータライトに対して、前記デジタルディスプレイ手段上において設定した日付および時刻を対応づけることによって、アラーム状況を確立することを特徴とする記憶補助デバイス。
【請求項１２】
請求項１１記載の記憶補助デバイスにおいて、
前記デジタルデータ格納手段が、水平方向に配置された前記複数のデータ領域の各々に対応づけられた少なくとも日付と時刻とアラーム条件とに関しての格納手段を備えていることを特徴とする記憶補助デバイス。
【請求項１３】
請求項１２記載の記憶補助デバイスにおいて、
前記デジタルディスプレイ手段が、
ａ．現在時刻と、
ｂ．現在日付と、
ｃ．前記インジケータライトの各々に対応づけられて設定された時刻と、
ｄ．前記インジケータライトの各々に対応づけられて設定された日付と、
ｅ．前記複数のデータ領域の各々に対して確立された前記アラーム状況の現状と、
ｆ．一次電池の現在の電力蓄積量と、
を選択的に表示し得るよう構成されていることを特徴とする記憶補助デバイス。
【請求項１４】
請求項１３記載の記憶補助デバイスにおいて、
前記デジタルディスプレイ手段が、初期設定表示として現在時刻を表示することを特徴とする記憶補助デバイス。
【請求項１５】
請求項１４記載の記憶補助デバイスにおいて、
前記複数のデータ領域の各々に対応づけられた前記アラーム条件が、１回だけ駆動され得るよう、単一アラームとして設定されることを特徴とする記憶補助デバイス。
【請求項１６】
請求項１５記載の記憶補助デバイスにおいて、
前記複数のデータ領域の各々に対応づけられた前記アラーム条件が、周期的に駆動され得るよう、周期的アラームとして設定され、
その周期的アラームのサイクルが、日単位および週単位および月単位の中から選択可能とされていることを特徴とする記憶補助デバイス。
【請求項１７】
請求項１６記載の記憶補助デバイスにおいて、
前記インジケータライトが、押しボタンスイッチの形態とされていることを特徴とする記憶補助デバイス。
【請求項１８】
請求項１７記載の記憶補助デバイスにおいて、
前記インジケータライトが、発光ダイオードとされていることを特徴とする記憶補助デバイス。
【請求項１９】
請求項１８記載の記憶補助デバイスにおいて、
前記インジケータライトをなす前記発光ダイオードの各々が、前記各データ領域にそれぞれ対応するインジケータライトに対応づけられた日付および時刻が現在日付および現在時刻に一致したときには、点滅信号を放出することを特徴とする記憶補助デバイス。
【請求項２０】
請求項１９記載の記憶補助デバイスにおいて、
前記可聴音アラームが、前記複数のデータ領域の各々に対応づけられて格納された日付および時刻が現在日付および現在時刻に一致したときに、起動されることを特徴とする記憶補助デバイス。
【請求項２１】
請求項２０記載の記憶補助デバイスにおいて、
点滅中の押しボタンスイッチを押すことによって、前記スイッチをなす前記発光ダイオードの点滅と、前記可聴音の鳴動と、が停止することを特徴とする記憶補助デバイス。
【請求項２２】
請求項２１記載の記憶補助デバイスにおいて、
点滅中の押しボタンスイッチを押すことによって、前記デジタルデータ格納手段内において、当該データ領域に対応するアラーム状況が『認識』されたものとされることを特徴とする記憶補助デバイス。
【請求項２３】
請求項２２記載の記憶補助デバイスにおいて、
前記アラームが周期的アラームとして設定されている場合には、所定サイクル経過時点で、前記信号の点滅と前記可聴音アラームの鳴動とが、再開されることを特徴とする記憶補助デバイス。
【請求項２４】
請求項２３記載の記憶補助デバイスにおいて、
前記複数のファンクションキーが、前記デジタルデータ格納手段から前記複数のデータ領域の各々に関する現在アラーム条件を読み出し得るとともに前記デジタルディスプレイ手段上に表示し得るよう構成されていることを特徴とする記憶補助デバイス。
【請求項２５】
請求項２４記載の記憶補助デバイスにおいて、
前記複数のファンクションキーが、前記デジタルデータ格納手段から前記複数のデータ領域の各々に関する設定日付と設定時刻とを読み出し得るとともに前記デジタルディスプレイ手段上に表示し得るよう構成されていることを特徴とする記憶補助デバイス。
【請求項２６】
請求項２５記載の記憶補助デバイスにおいて、
前記手書きの消去可能な表示内容が、フェルトマーカーペンによって書かれたものであることを特徴とする記憶補助デバイス。
【請求項２７】
請求項２６記載の記憶補助デバイスにおいて、
前記手書きの消去可能な表示内容が、鉛筆によって書かれたものであることを特徴とする記憶補助デバイス。
【請求項２８】
請求項２７記載の記憶補助デバイスにおいて、
前記バッテリ隔室には、バックアップバッテリを収容するための付加的スペースが設けられ、
前記バックアップバッテリが、前記一次電池の交換時には、前記日時計時手段の機能と前記デジタル格納手段の機能とを維持するための電力を供給することを特徴とする記憶補助デバイス。
【請求項２９】
請求項２８記載の記憶補助デバイスにおいて、
前記容器には、前記容器の背面パネル上に配置された磁気的支持手段が設けられ、
この磁気的支持手段は、スチール面に対して前記容器を付着させ得るよう構成されていることを特徴とする記憶補助デバイス。
【請求項３０】
請求項２９記載の記憶補助デバイスにおいて、
前記容器の背面パネルには、前記背面パネルの２つの上コーナー部分に向けて配置された複数の穴が設けられ、
これら穴は、実質的な鉛直方向面上の適切な支持取付具に対して係合し得るよう構成されていることを特徴とする記憶補助デバイス。
【請求項３１】
請求項３０記載の記憶補助デバイスにおいて、
前記容器には、特定用途のデータを記録し得るよう構成された引出可能なパネルが設けられていることを特徴とする記憶補助デバイス。
【請求項３２】
請求項３１記載の記憶補助デバイスにおいて、
前記容器には、前記前面パネルの底部に取り付けられたトラフの形態をなすレセプタクルが設けられ、
このレセプタクルが、マーカーペンまたは鉛筆を付帯し得るよう構成されていることを特徴とする記憶補助デバイス。
【発明の詳細な説明】
【技術分野】
【０００１】
本発明は、想起メッセージを書き留めるためのデバイスに関するものであり、より詳細には、計時機能とアラーム機能とに関連させつつ、消去可能な複数のメッセージを記録し得るようなデバイスに関するものである。
【背景技術】
【０００２】
忙しい日常生活の中で多数の作業を行っている大多数の人々は、多くの場合、想起システムを必要としている。職場と家庭との双方において通常的に使用されているシステムは、ホワイトボードである。ホワイトボードは、家族にとっての、あるいは、作業を必要とするスタッフにとっての、一時的記録媒体として機能することができる。
【０００３】
単なるホワイトボードの欠点は、メッセージが見過ごされてしまいやすいことであり、その動作に関する期限を逃してしまうことが多いことである。これは、特に、忘れっぽくなったようなすなわち記憶能力が減少したような年長者の場合に当てはまる。なお、本出願人の知る限りにおいては、本出願に関連性を有する先行技術文献は存在しない。
【発明の開示】
【課題を解決するための手段】
【０００４】
本発明の目的は、上記欠点を克服することである。
【０００５】
したがって、本発明の広義な一見地においては、容器を具備した記憶補助デバイスであって、容器の前面パネルが、手書きの消去可能な表示内容を受領し得るよう構成された複数の部分を備え、前面パネルが、さらに、複数の部分のそれぞれに関連して設置された複数のインジケータライトを備えているような記憶補助デバイスが提供される。
【０００６】
好ましくは、記憶補助デバイスは、電子的日時計時手段を具備している。
【０００７】
好ましくは、記憶補助デバイスは、マイクロプロセッサ手段と、デジタルデータ格納手段と、を具備している。
【０００８】
好ましくは、記憶補助デバイスは、前面パネルに配置されたデジタルディスプレイ手段を具備している。
【０００９】
好ましくは、記憶補助デバイスは、可聴音アラームを鳴らし得るよう構成された可聴音生成手段を具備している。
【００１０】
好ましくは、記憶補助デバイスは、デバイスに対しての電源をなす一次電池を収容するためのバッテリ隔室を具備している。
【００１１】
好ましくは、記憶補助デバイスは、前面パネルに配置された複数のファンクションキーを具備している。
【００１２】
好ましくは、複数のファンクションキーは、デジタルディスプレイ手段上に表示してデジタルデータ格納手段内に格納するためのデータを入力し得るよう構成されている。
【００１３】
好ましくは、複数のファンクションキーは、デジタルデータ格納手段からデータを読み出し得るとともに読み出されたデータをデジタルディスプレイ手段上に表示し得るよう構成されている。
【００１４】
好ましくは、複数のファンクションキーは、日時計時手段から日付データおよび時刻データを読み出し得るとともに読み出されたデータをデジタルディスプレイ手段上に表示し得るよう構成されている。
【００１５】
好ましくは、複数のデータ領域の各々に関して、デジタルデータ格納手段内において、複数のデータ領域にそれぞれ対応したインジケータライトに対して、デジタルディスプレイ手段上において設定した日付および時刻を対応づけることによって、アラーム状況が確立される。
【００１６】
好ましくは、デジタルデータ格納手段は、水平方向に配置された複数のデータ領域の各々に対応づけられた少なくとも日付と時刻とアラーム条件とに関しての格納手段を備えている。
【００１７】
好ましくは、デジタルディスプレイ手段は、
ａ．現在時刻と、
ｂ．現在日付と、
ｃ．インジケータライトの各々に対応づけられて設定された時刻と、
ｄ．インジケータライトの各々に対応づけられて設定された日付と、
ｅ．複数のデータ領域の各々に対して確立されたアラーム状況の現状と、
ｆ．一次電池の現在の電力蓄積量と、
を選択的に表示し得るよう構成されている。
【００１８】
好ましくは、デジタルディスプレイ手段は、初期設定表示として現在時刻を表示する。
【００１９】
好ましくは、複数のデータ領域の各々に対応づけられたアラーム条件は、１回だけ駆動され得るよう、単一アラームとして設定されることを特徴とする記憶補助デバイス。
【００２０】
好ましくは、複数のデータ領域の各々に対応づけられたアラーム条件は、周期的に駆動され得るよう、周期的アラームとして設定され、その周期的アラームのサイクルは、日単位および週単位および月単位の中から選択可能とされている。
【００２１】
好ましくは、インジケータライトは、押しボタンスイッチの形態とされる。
【００２２】
好ましくは、インジケータライトは、発光ダイオードとされる。
【００２３】
好ましくは、インジケータライトをなす発光ダイオードの各々は、各データ領域にそれぞれ対応するインジケータライトに対応づけられた日付および時刻が現在日付および現在時刻に一致したときには、点滅信号を放出する。
【００２４】
好ましくは、可聴音アラームは、複数のデータ領域の各々に対応づけられて格納された日付および時刻が現在日付および現在時刻に一致したときに、起動される。
【００２５】
好ましくは、点滅中の押しボタンスイッチを押すことによって、スイッチをなす発光ダイオードの点滅と、可聴音の鳴動と、が停止する。
【００２６】
好ましくは、点滅中の押しボタンスイッチを押すことによって、デジタルデータ格納手段内において、当該データ領域に対応するアラーム状況が『認識』されたものとされる。
【００２７】
好ましくは、アラームが周期的アラームとして設定されている場合には、所定サイクル経過時点で、信号の点滅と可聴音アラームの鳴動とが、再開される。
【００２８】
好ましくは、複数のファンクションキーは、デジタルデータ格納手段から複数のデータ領域の各々に関する現在アラーム条件を読み出し得るとともにデジタルディスプレイ手段上に表示し得るよう構成されている。
【００２９】
好ましくは、複数のファンクションキーは、デジタルデータ格納手段から複数のデータ領域の各々に関する設定日付と設定時刻とを読み出し得るとともにデジタルディスプレイ手段上に表示し得るよう構成されている。
【００３０】
好ましくは、手書きの消去可能な表示内容は、フェルトマーカーペンによって付与される。
【００３１】
好ましくは、手書きの消去可能な表示内容は、鉛筆によって付与される。
【００３２】
好ましくは、バッテリ隔室には、バックアップバッテリを収容するための付加的スペースが設けられ、バックアップバッテリは、一次電池の交換時には、日時計時手段の機能とデジタル格納手段の機能とを維持するための電力を供給する。
【００３３】
好ましくは、容器には、容器の背面パネル上に配置された磁気的支持手段が設けられ、この磁気的支持手段は、スチール面に対して容器を付着させ得るよう構成されている。
【００３４】
好ましくは、容器の背面パネルには、背面パネルの２つの上コーナー部分に向けて配置された複数の穴が設けられ、これら穴は、実質的な鉛直方向面上の適切な支持取付具に対して係合し得るよう構成されている。
【００３５】
好ましくは、容器には、特定用途のデータを記録し得るよう構成された引出可能なパネルが設けられている。
【００３６】
好ましくは、容器には、前面パネルの底部に取り付けられたトラフの形態をなすレセプタクルが設けられ、このレセプタクルは、マーカーペンまたは鉛筆を付帯し得るよう構成されている。
【発明を実施するための最良の形態】
【００３７】
以下においては、本発明の様々な実施形態について、添付図面を参照しながら説明する。
【００３８】
本発明の好ましい実施形態について、図１を参照して説明する。図１において、記憶補助デバイス（１０）は、全体的にフラットなボックス形状の容器（２０）を備えている。容器（２０）は、前面パネル（２１）を有している。
【００３９】
前面パネル（２１）には、デジタルディスプレイ手段（２２）が設けられている。デジタルディスプレイ手段（２２）は、好ましくは、前面パネル（２１）の左上コーナーに配置されている。
【００４０】
前面パネル（２１）には、さらに、複数の水平方向データ領域（２４）を規定する全体的にフラットな部分（２３）が設けられている。水平方向データ領域（２４）は、例えば通常使用されているホワイトボート等におけるマーカーペンといったようなものによる、手書きの消去可能な表示内容（２５）を受領し得るよう構成されている。
【００４１】
各データ領域（２４）には、好ましくは数字によって認識可能とされたインジケータライト（２６）が設けられている。この場合、一番上のインジケータライトには、数字‘１’が付されており、残りのライトには、上から下に向けて順次的に数字が付されている。
【００４２】
好ましくは、インジケータライト（２６）は、発光ダイオード（ＬＥＤ）を内包した押しボタンスイッチの形態とされる。
【００４３】
図３に示すように、記憶補助デバイスには、電子的な日時計時手段（２７）と、デジタルデータ格納手段（２８）と、マイクロプロセッサ（２９）と、可聴音生成源（３０）と、が設けられている。
【００４４】
本発明のこの実施形態においては、デジタルディスプレイ手段（２２）は、液晶ディスプレイ（ＬＣＤ）モジュールを備えている。液晶ディスプレイモジュールは、少なくとも、
ａ）付加的にはＡＭまたはＰＭという表示と一緒に、好ましくはＨＨ：ＭＭという書式で、時間と分とを表す現在時刻と、
ｂ）好ましくはＤＤ．ＭＭ．ＹＹという書式で、日と月と年とを表す現在日付と、
ｃ）特定のデータ領域に割り当てられた場合には、日付および時刻と、
ｄ）すべてのデータ領域に現時点で関連しているすべてのアラーム状況の状態と、
ｅ）一次電池の電力蓄積量と、
ｆ）選択されたデータ領域の識別番号と、
を含む一連のデータを選択的に表示することができるよう構成されている。
【００４５】
好ましい実施形態においては、デジタルディスプレイ手段（２２）は、デバイスの使用者のパスワードを規定する一連の桁の入力を受領し得るよう構成されている。これにより、以前に格納されたパスワードの入力によって認証されない限り、新たなデータをデータを入力したりあるいは格納済みデータの修正を行ったりすることができないようになっている。
【００４６】
前面パネル（２１）には、さらに、複数のファンクションキー（３１）が設けられている。これらファンクションキー（３１）は、好ましくは、デジタルディスプレイ手段（２２）の下方において、２つのグループ（３２，３３）として設置されている。好ましくは、第１グループをなす複数のファンクションキー（３２）は、ＬＣＤ上に表示された表示を選択し得るように、また、ＬＣＤ上に表示された表示を増減し得るように、構成されている。
【００４７】
好ましくは、第２グループをなす複数のファンクションキー（３３）は、複数の利用可能な表示からの選択を行い得るように、また、様々な操作オプションからの選択を行い得るように、構成されている。
【００４８】
この好ましい実施形態においては、ファンクションキー（３１）は、各々がＬＥＤを内包した押しボタンスイッチとされている。
【００４９】
図２に示すように、記憶補助デバイス（１０）は、バッテリ隔室（３５）内に収容された複数の一次電池（３４）によって電力供給される。バッテリ隔室（３５）は、好ましくは、背面パネル（３６）からアクセス可能とされる。バッテリ隔室（３５）には、さらに、消耗した一次電池に取って代わることが要求された場合に、デバイスに対して電力を供給し得るバックアップバッテリ（３７）が設けられている。
【００５０】
好ましくは、デバイスの容器（２０）には、図２に示すように、引出可能なパネル（あるいは、収容可能なパネル）（３８）が設けられている。このパネル（３８）は、デバイスの使用態様に関連するあるいはデバイスの使用者に関連する特定の情報を記録するために使用することができる。すなわち、例えば、デバイスが患者の介護を観測するために使用されている状況においては、例えば治療状況とか投薬状況とかいったような患者固有のデータを、このパネル上に記録することができる。
【００５１】
好ましくは、図１に示すように、デバイスには、前面パネル（２１）の下エッジに沿って、トラフ（３９）の形態とされたレセプタクルが設けられている。このレセプタクルは、マーカーペンや鉛筆を収納するためのものである。
【００５２】
本発明のさらなる好ましい実施形態においては、背面パネル（３６）には、磁気的支持手段（４０）が設けられている。磁気的支持手段（４０）は、デバイスの重量を支持し得るよう構成されており、このため、実質的に鉛直方向を向いたスチール面に対してのデバイスの取付を可能とする。
【００５３】
背面パネル（３６）には、鉛直方向面に対して固定された例えばフックやネジ等といったような適切な支持取付具に対してデバイスを引っ掛けることを可能とするための複数の穴（４１）が設けられている。
【００５４】
使用時には、記憶補助デバイス（１０）の一次的な機能は、データ領域（２４）すなわちそのデータ領域上に記録された表示内容と、選択された日時と、の間の関連性を確立するという機能である。これにより、そのデータ領域に関するアラーム状況を形成することができる。ここで、データ領域は、対応するインジケータライト押しボタンスイッチ（２６）を押すことによって、選択することができ、さらに、デジタルディスプレイ手段（２２）を使用して将来的時点を規定する日時を入力することによって、デジタルデータ格納手段（２８）内に格納させる。
【００５５】
このようにして確立されたアラーム状況は、さらに、単一アラームとして、あるいは、周期的アラームとして、規定することができる。周期的アラームの場合には、そのサイクルは、日単位や週単位や月単位で、設定することができる。
【００５６】
選択された特定のデータ領域に対応して格納された日時が、日時計時手段によって生成された現在日時と一致した場合には、そのデータ領域のインジケータライトＬＥＤを点滅させ、可聴音生成手段によって生成された可聴アラーム音を発生させ、これにより、そのデータ領域上に記録された表示内容に注意を引く。
【００５７】
インジケータライトＬＥＤの点滅と、可聴アラーム音の発生とは、所定時間の終了前にアラームが認識されない場合には、所定時間にわたって継続させる。アラームは、インジケータライト押しボタンスイッチを押すことによって、認識される。
【００５８】
好ましくは、所定時間内にアラームが認識されなかった場合には、第２の所定時間にわたってのライト点滅とアラーム音発生とを、所定インターバル時間の後に、再開させる。第１アラーム時間でも第２アラーム時間でもアラームが認識されなかったときには、データ領域のアラーム状況を、未認識アラームとして、デジタルデータ格納手段内に格納する。すべてのデータ領域のアラーム状況の現状は、デジタルデータ格納手段からアラーム状況に関する現状を読み出すことによって、獲得することができ、デジタルディスプレイ手段上に表示することができる。
【００５９】
データ領域上に既に記録された表示内容が、もはや不要なものである場合には、それら不要な表示内容を消去することができ、データ領域を、新たな記録内容のために利用可能な状態とすることができ、新たな日時の入力を行うことができる。
【００６０】
以下、本発明の特に好ましい実施形態を例にとって説明する。しかしながら、本願発明の精神および範囲を逸脱することなく、その実施形態に対して、当業者には自明であるような修正を加えることができる。
【００６１】
［実施例−技術的仕様］
例示のため、第１の好ましい実施形態を参照しつつ、以下の説明は、デバイスの機能的特徴点を特定するために適切な技術的仕様である。以下の説明においては、記憶補助（１０）は、『作業想起』を意味している。
【００６２】
［機能的仕様］
１．序
この文書は、作業想起用の製品／デバイスに関する機能的仕様書を構成する。特に、この文書は、複数のデバイスキーと、それらの機能と、デバイスの動作モードと、特殊な機能的特徴点と、を記述している。
【００６３】
２．定義
この文書においては、いくつかの用語が使用されており、それら用語について、以下のように定義する。
−システム時刻：作業想起クロックに関する時刻。使用者は、初期的には、このシステム時刻を現在時刻に設定する。
−システム日付：作業想起クロックに関する日付。使用者は、初期的には、このシステム日付を現在日付に設定する。
−アラーム：大きな可聴音の生成、および／または、ライト点滅の生成。これらは、使用者の注意を引くことを意図したものである。
−アラーム状況：アラームを起動するための事象。このアラーム状況は、システム時刻およびシステム日付が、アラームを可能とする日時に一致した時点で、発生する。
−第Ｘ番目のアラームの時刻：第Ｘ番目のアラームが予定されている時刻。
−第Ｘ番目のアラームの日付：第Ｘ番目のアラームが予定されている日付。第Ｘ番目のアラームは、また、「毎日」あるいは「毎週」として予定することもできる。
−第Ｘ番目のアラームの現状：アラームの現状を意味している。この現状は、「アラーム実行」あるいは「アラーム禁止」とすることができる。第Ｘ番目のアラームが、「アラーム禁止」とされている場合には、アラーム状況を起動することができない。
−パラメータ：これは、変更可能とされた任意の値である。パラメータには、日付や、時刻や、現状や、設定、がある。
−保護状態：これは、「ロック状態」あるいは「非ロック状態」とすることができる。「ロック状態」とされたシステムにおいては、正当なパスワードの入力を行わない限りは、パラメータの変更を行うことができない。「非ロック状態」とされたシステムにおいては、自由に、パラメータの変更を行うことができる。
通常動作：システムに対して電力が供給されている状態での動作モードであって、ＬＣＤディスプレイは、システム時刻を表示している。
ここで、上記におけるＸは、１〜１２のうちのいずれかの整数であることに注意されたい。
【００６４】
３．一般的製品の説明
作業想起デバイスは、知的障害を有した人や痴呆症の人のために構成された電子的記憶補助デバイスである。介護者または他の人は、予定された時刻に特定のメッセージ／想起内容に関して、患者の注意を引くために、この製品を使用することができる。
【００６５】
［機能的仕様］
可聴音アラームと点滅ライトとによって、特定のメッセージ／想起内容に関して、注意が引かれる。
【００６６】
この製品は、１２個の個別のアラームを有している。各アラームは、キーパッドとＬＣＤディスプレイとを使用することによって、容易にプログラムすることができる。各々のメッセージ／想起内容は、１２個に区分された各ホワイトボード領域上に書き込まれる。各領域は、特定の日付および時刻に対応しており、アラーム状況時に点滅する個別のキーを有している。点滅中のキーを押すことによって、患者は、メッセージ／想起内容に気付いたことを通知し、アラーム状況がクリアされる（あるいは、解除される）。
【００６７】
４．システムの各構成要素
４．１  ＬＣＤ
作業想起デバイスは、ＬＣＤを備えており、ＬＣＤは、６個の桁を有しており、各桁は、７個のセグメントから構成されている。複数の桁は、水平方向に配置することができる。この文書においては、各桁は、左から右に向けて、第１桁から第６桁と称される。第２桁と第３桁との間には、小数点が設けられている。第４桁と第５桁との間には、小数点とコロンとが設けられている。ＬＣＤは、さらに、‘ＡＭ’インジケータセグメントと‘ＰＭ’インジケータセグメントとを有している。
【００６８】
ＬＣＤは、日付情報と、時刻情報と、他のデバイス現状と、を表示するために使用される。
【００６９】
日付は、ＤＤ．ＭＭ．ＹＹという書式で表示される。
【００７０】
時刻は、ＡＭインジケータまたはＰＭインジケータを有しつつ、ＨＨ：ＭＭという書式で表示される。
【００７１】
４．２  ファンクションキー
作業想起デバイスは、以下の表４．１に示すような複数のファンクションキーを備えている。
【００７２】
【表１】
2004530903.tif 000003
【００７３】
［機能的仕様］
これらキーは、使用者が１回のキー押しを意図したときに複数回のキー押圧が発生することを停止し得るよう、ソフトウェア的に「制御」される。
【００７４】
４．３  スピーカー／ブザー
作業想起デバイスは、可聴音を生成し得る作り付けのトランスデューサを有している。この可聴音は、キー押し時に使用者に対してのフィードバックをもたらすために、また、アラーム状況を示すために、使用される。
【００７５】
４．４  リアルタイムクロックカレンダー
作業想起デバイスは、現在時刻および日付を追跡し得る作り付けの（ハードウェアベースの）クロック／カレンダーを有している。
【００７６】
４．５  バッテリバックアップ
バックアップバッテリは、メインバッテリの交換時には、クロックカレンダーの動作を支持するとともにシステムパラメータを保持する。
【００７７】
［機能的仕様］
５．機能的説明
５．１  パワーダウン
省電力化のために、作業想起デバイスは、通常動作時において、３０秒間以上にわたってキー入力がない場合には、パワーダウンされる。パワーダウン時には、すべてのキーの照明が消され（ＬＥＤのスイッチオフ）、ＬＣＤのスイッチがオフとされ（ブランク）、可聴音トランスデューサが音消しされる。
【００７８】
システムは、キーが押されたときにはあるいは正当なアラーム状況が発生した場合には、パワーダウンモードを抜け出す。
【００７９】
注意事項：詳細なパワー消費計画は、ＬＣＤを常に点灯するという可能性を決定するための開発段階において、決定される。
【００８０】
５．２  システム時刻およびシステム日付機能
５．２．１  システム時刻とシステム日付との表示
時刻／日付キーを１回押すことにより、時刻／日付キーが点灯し、ＬＣＤには、現在のシステム時刻（時間と分のみ）が表示される。時刻を表示する際には、時間と分とを区分するためのコロンが、１秒ごとに点滅し、時刻が進行中であることを示す。
【００８１】
時刻／日付キーを再度押すことにより、ＬＣＤには、現在のシステム日付が表示される。時刻／日付キーをさらに押すごとに、ＬＣＤには、システム時刻とシステム日付とが交互に表示される。
【００８２】
３０秒間以上にわたってキーが押されなかった場合には、システムは、パワーダウンモードに移行し、ＬＣＤのスイッチがオフとされる。
【００８３】
５．２．２  システム時刻とシステム日付との修正
作業想起デバイスの最初の起動時には、時刻と日付とは、設定されていない（時刻は、１２：００ｐｍに初期化され、日付は、０１／０１／００に初期化される）。この状況を示すために、時刻と日付とは、点滅表示される。使用者がシステム時刻とシステム日付とを設定した後には、時刻と日付との表示の際に、それらが点滅表示されることはない。
【００８４】
システム時刻を修正（あるいは、変更）するに際しては、使用者は、まず最初に、設定キーを５秒間にわたって押し続け、システム時刻を表示させる必要がある（システム時刻とシステム日付の表示に関する上記詳細を参照されたい）。それにより、システム時刻の桁が点滅し始め、矢印キーを使用して修正可能な状況であることが示される（詳細に関しては、「パラメータ変更」の項を参照されたい）。
【００８５】
同様に、システム日付を修正（あるいは、変更）するに際しては、使用者は、まず最初に、設定キーを５秒間にわたって押し続け、システム日付を表示させる必要がある。それにより、システム日付が点滅し始め、矢印キーを使用して修正可能な状況であることが示される。
【００８６】
システム日付およびシステム時刻の変更後には、設定キーを押すことにより、変更が承認され、通常動作へと復帰する（典型的には、システム時刻が表示される）。
【００８７】
［機能的仕様］
注意事項：現在のシステム時刻またはシステム日付を修正（あるいは、変更）するに際しては、使用者は、最初に、パスワード保護機能を解除する、あるいは、正当なパスワードを入力する、という必要がある。パスワード保護機能が動作中であって、正当なパスワードが入力されなかった場合には、システムは、設定キーが押されたときに、パスワード保護状態の表示を初期化する（詳細に関しては、「パスワード保護機能」の項を参照されたい）。
【００８８】
５．２．３  週単位でのアラームおよび日単位でのアラーム
作業想起デバイスは、さらに、日単位でのアラームおよび週単位でのアラームを支持する。日単位としてアラーム日付を設定するためには、使用者は、日付の修正時に、（設定キーを、５秒間にわたって押した後に）時刻／日付キーを押すだけで良い。ＬＣＤは、『日単位』というコードワードを表示する。
【００８９】
時刻／日付キーを再度押すことにより、ＬＣＤは、『第Ｘ曜日』というキーワードを表示する。ここで、Ｘは、１〜７のいずれかの数字によって１週間のうちのある曜日（月曜日〜土曜日）を示している。この曜日は、第Ｘ番目のアラーム時刻において毎週アラームを鳴らす曜日である。矢印キーを使用することによって、Ｘを増分または減分することができる。
【００９０】
時刻／日付キーを再度押すことにより、第Ｘ日にアラームを鳴らすかを表示させることができる。設定キーを押すことによって、システムは、通常動作へと戻り、日によるアラーム設定や周単位または日単位でのアラーム設定を受領する。
【００９１】
５．３  アラーム機能
５．３．１  アラーム
アラームは、第Ｘ番目のアラーム時刻と日付とが、システム時刻およびシステム日付と同じとなったときに、起動される。
【００９２】
アラームの起動時には、作業想起デバイスは、第Ｘ番目の作業キー（アラームを鳴らすべき第Ｘ番目の時刻に対応したキー）を連続的に点滅させ、システム時刻を表示して、可聴アラーム音を発生させる。注意事項：可聴音アラームは、システム構成においては、操作によって禁止することもできる（「システムオプション」の項を参照されたい）。
【００９３】
また、必要であれば、各アラームに対してそれぞれ個別の可聴音特性を付与することができる。しかしながら、これには、付加的な開発作業を必要とする。
【００９４】
第Ｘ番目の作業キーが、押されなかったときには、アラーム音は、５０秒後に停止する。第Ｘ番目の作業キーは、点滅を継続する（システムが、パワーダウンモードに移行しない）。第Ｘ番目の作業キーが、未だ押されない場合には、アラーム音は、その後の１０分間については、５０秒にわたる鳴動を繰り返す。その後、システムは、通常動作に戻る。
【００９５】
第Ｘ番目の作業キーが、第１アラームにおいてあるいは第２アラームにおいて押された時点で、即座にアラーム音が停止し、第Ｘ番目の作業キーが、消灯され、アラームが、『認識された』ものと見なされる。第１アラームと第２アラームとの間に、第Ｘ番目の作業キーが押された場合には、即座に第Ｘ番目の作業キーが消灯され、アラームが、『認識された』ものと見なされる。『認識』済みのアラームは、次にアラーム時刻を設定しない限り、再発生することはない。
【００９６】
［機能的仕様］
認識されなかったアラームに関する情報は、一覧キー（あるいは、サマリーキー）を押すことにより、得ることができる（「アラーム一覧機能」の項を参照されたい）。
【００９７】
また、同時に２つ以上のアラームを鳴動させることもできる。この場合、それらアラームに関連する複数の作業キーが、同時に点滅することとなる。各アラームは、それぞれの作業キーを押すことによって、それぞれ個別に認識されなければならない。点滅中の作業キーが押されたときには、その作業キーは、即座に消灯される。すべての点滅作業キーが押されたときに、アラーム音が停止する。
【００９８】
５．３．２  アラーム日付、アラーム時刻、および、現状の閲覧
アラーム状況が存在しておらず、第Ｘ番目の作業キーが押された場合には、作業想起デバイスは、第Ｘ番目の作業キーを点灯させ、ＬＣＤ上に、対応する第Ｘ番目のアラーム時刻を表示する。１０秒以内にその第Ｘ番目の作業キーが再度押されたときには、第Ｘ番目のアラーム日付が表示される。
【００９９】
第Ｘ番目の作業キーが再度押された場合には、アラームに関する現状が表示される。アラーム現状は、アラームが実行可能状態とされているかあるいは禁止状態とされているかを決定する。禁止状態とされた第Ｘ番目のアラームは、システム時刻およびシステム日付がその第Ｘ番目のアラーム時刻および日付と一致した場合であっても、起動されない。禁止状態とされたアラームは、ＬＣＤ上において、“ＯＦＦ”というキーワードによって示され、実行可能状態とされたアラームは、ＬＣＤ上において、“Ｏｎ”というキーワードによって示される。
【０１００】
その後に第Ｘ番目の作業キーが再度押すたびごとに（すべて互いに１０秒以内）、ＬＣＤ上には、第Ｘ番目のアラームに関する日付と時刻と現状とが交互的に表示される。１０秒間にわたってキー押しがなかった場合には、ＬＣＤは、現在時刻を表示するという初期状態に復帰し、第Ｘ番目の作業キーが消灯される（ＬＥＤのスイッチがオフとされる）。
【０１０１】
３０秒間以上にわたってキー操作がなかった場合には、システムは、通常動作へと復帰する。
【０１０２】
５．３．３  アラーム時刻とアラーム日付と現状との変更
第Ｘ番目のアラーム時刻を変更するに際しては、使用者は、まず最初に、設定キーを５秒間にわたって押し続け、第Ｘ番目のアラーム時刻を表示させる必要がある（第Ｘ番目のアラーム時刻の表示に関する上記詳細を参照されたい）。それにより、ＬＣＤ上において、第Ｘ番目のアラーム時刻が点滅し始め、矢印キーを使用して修正可能な状況であることが示される（詳細に関しては、「パラメータ変更」の項を参照されたい）。
【０１０３】
同様に、第Ｘ番目のアラーム日付を変更するに際しては、使用者は、まず最初に、設定キーを５秒間にわたって押し続け、第Ｘ番目のアラーム日付を表示させる必要がある。それにより、ＬＣＤ上には、第Ｘ番目のアラーム日付の桁が点滅し始め、矢印キーを使用して修正可能な状況であることが示される。
【０１０４】
同様に、第Ｘ番目のアラーム現状の変更は、まず最初に、設定キーを５秒間にわたって押し続け、第Ｘ番目のアラーム現状を表示させることによって、可能である。必要がある。それにより、ＬＣＤ上には、第Ｘ番目のアラーム現状の桁が点滅し始め、矢印キーを使用して修正可能な状況であることが示される。
【０１０５】
第Ｘ番目のアラーム時刻およびアラーム日付および現状を変更した後には、使用者は、設定キーを押すことによって、変更を承認することができ、システムを、通常動作へと復帰させることができる。
【０１０６】
［機能的仕様］
注意事項：現在の第Ｘ番目のアラーム時刻またはアラーム日付または現状を変更するに際しては、使用者は、最初に、パスワード保護機能を解除する、あるいは、正当なパスワードを入力する、という必要がある。パスワード保護機能が動作中であって、正当なパスワードが入力されなかった場合には、システムは、設定キーが押されたときに、パスワード保護状態の表示を初期化する（詳細に関しては、「パスワード保護機能」の項を参照されたい）。
【０１０７】
５．４  パスワード保護機能
５．４．１  パスワード保護
システムパラメータに対しての不正介入を防止し得るよう、作業想起デバイスは、パスワード保護特性を支持している。この特性が動作状態とされたときには、すべてのパラメータの変更を禁止する。パラメータが変更できないようになっているシステムは、「ロックされた」システムと称される。
【０１０８】
これに代えて、パスワード保護は、恒久的にあるいは一時的に解除することができる。パスワード保護機能が恒久的に解除されたシステムは、「非ロック状態」のシステムと称される。パスワード保護機能が一時的に解除されたシステムは、「一時的な非ロック状態」のシステムと称される。
【０１０９】
「非ロック状態」から「ロック状態」へとシステム保護状況を変更するには、パスワードを入力しなければならない。「ロック状態」から「非ロック状態」へとシステム保護状況を変更するには、最後にシステムを「ロック」した際に使用されたのと同じパスワードを、入力しなければならない。
【０１１０】
同様に、「一時的にロックされた状態」へとシステム保護状況を変更するには、パスワードを入力しなければならない。「一時的に非ロック状態」とされたシステムは、パワーダウン後に（パスワードの入力の必要なく）、「ロック状態」へと自動的にシステム保護状況を変化させる。
【０１１１】
システムを「ロック解除」する場合とは違って、「ロック状態」のシステムを「一時的にロック解除した状態」へと変更する場合の利点は、パラメータを変更した後にシステムを「再ロック」する際に、パスワードを再入力する必要がないことである（自動的に進められる）。
【０１１２】
起動時には、初期設定として、パスワード保護機能は、実行しないものとされている。
【０１１３】
５．４．２  保護状態の閲覧
ロックキーが押された場合には、ロックキーを点灯させ、ＬＣＤ上に、システム保護状況を表示を表示する。システムが「ロック」されている場合には、ＬＣＤ上に、「ロック状態（‘ＬＯＣｄ’）」というキーワードが表示される。システムが「非ロック状態」である場合には、ＬＣＤ上に、「ロック解除状態（‘ｕｎＬＯＣｄ’）」というキーワードが表示される。これに代えて、システムが「一時的なロック状態」である場合には、「自動（‘ＡＵＴＯ’）」というキーワードが表示される。
【０１１４】
３０秒間以上にわたってキー操作がなかった場合には、システムは、通常動作へと復帰する。
【０１１５】
５．４．３  保護状態の変更
システム保護状態を変更するに際しては、使用者は、設定キーを５秒間にわたって押し続け、システム保護状態を表示させる必要がある。これにより、保護状態に関するキーワードが、点滅する。その後、キーワードを変更することができる。
【０１１６】
［機能的仕様］
上矢印キーと下矢印キーとを使用する。選択後には、設定キーを押して完了する。
【０１１７】
システムが非ロック状態であって（変更前）、キーワード「ロック状態（‘ＬＯＣｄ’）」が選択された場合には、パスワード入力シーケンスを開始する。パスワードの入力後に、システム保護状態は、「非ロック状態」に変更される。
【０１１８】
システムがロック状態であって、キーワード「ロック解除状態（‘ｕｎＬＯＣｄ’）」または「自動（‘ＡＵＴＯ’）」が選択されたときには、パスワードが正当であれば（つまり、入力されたパスワードが、システムを「ロック」するために最後に使用されたパスワードに適合した場合には）、システム保護状態が、「非ロック状態」へと変更される。正当なパスワードが入力されなかった場合には、システムは、通常動作へと復帰し、システム保護状態は、「ロック状態」のままとされる。
【０１１９】
パスワード入力シーケンスの際には、ＬＣＤ上の第１桁〜第４桁には、‘００００’が表示され、第１桁を点滅させる。ＬＣＤ上の点滅中の桁は、矢印キーを使用して変更することができる（詳細については、「パラメータ変更」の項を参照されたい）。所望の変更が完了した際には、設定キーを押すことによって、入力した値が、入力したパスワードとして受領される。
【０１２０】
（パスワード入力も含めた）システム保護状態の変更時には常に、３０秒間を超えてキー操作がなかったときには、変更操作が中止され、システムは通常動作へと戻り、システム保護状態は、変更されない。
【０１２１】
システムが「ロック」されている場合に、（設定キーを押すことによって）例えばシステム時刻といったようなパラメータを変更しようとしても、ＬＣＤは、現在のシステム状況を表示し、変更の試みは、受け付けられない。
【０１２２】
５．５  アラーム一覧機能
一覧キー（あるいは、サマリーキー）が押されたときには、作業想起デバイスは、すべての未認識アラームの一覧を表示する。未認識アラームは、第Ｘ番目の作業キーを押すことによってアラームが解除されなかった場合に、発生する。この機能により、介護者は、患者がそのアラームに気付いたかどうかを判断することができる。
【０１２３】
アラームが認識されなかった場合には、対応する第Ｘ番目の作業キーを点灯させ、一覧キーを押した場合には、対応する第Ｘ番目の作業キーを点滅させる。実行可能とされたアラームが未だ発生していない場合には、点灯させるものの、点滅はさせない。アラームを認識または解除した場合には、対応作業キーを消灯する。
【０１２４】
３０秒間以上にわたってキー操作がなかった場合には、システムは、通常動作へと復帰する。
【０１２５】
５．６  システムオプション
５．６．１  アラーム音量の閲覧
アラーム音量は、３段階（オフも含めて）で設定することができる。アラーム音量の設定は、システムキーを押すことによって、表示される。最初の起動後には、音量は、大音量に初期設定されている。
【０１２６】
［機能的仕様］
アラーム音が禁止されている場合には、システムキーが押されたときには、ＬＣＤ上に、キーワード‘ＯＦＦ’が表示される。音量が小音量である場合には、キーワード‘Ｌｏ’が表示される。音量が大音量である場合には、キーワード‘Ｈｉ’が表示される。
【０１２７】
３０秒間以上にわたってキー操作がなかった場合には、システムは、通常動作へと復帰する。
【０１２８】
５．６．２  アラーム音量の変更
アラーム音量を変更するに際しては、使用者は、まず最初に、設定キーを５秒間にわたって押し続け、音量設定を表示させる必要がある（アラーム音量の表示に関する上記詳細を参照されたい）。それにより、ＬＣＤ上において、アラーム音量キーワードが点滅し始め、矢印キーを使用して修正可能な状況であることが示される（詳細に関しては、「パラメータ変更」の項を参照されたい）。
【０１２９】
アラーム音量の変更後には、設定キーを押すことにより、変更が承認され、システムは、通常動作へと復帰する。
【０１３０】
５．７  パラメータ変更
５．７．１  変更対象をなすパラメータの選択
パラメータを変更するに際しては、使用者は、まず最初に、設定キーを５秒間にわたって押し続け、変更すべきパラメータを表示させる。これにより、編集可能な最も左の桁が点滅する。例えば「ロック状態」といったようなコードワードの場合には、キーボード全体が点滅する。
【０１３１】
５．７．２  パラメータの増分または減分または変更
上キーを押すことにより、点滅中の桁／コードワードを、増分／変更することができる。最大値に到達した場合に、上キーが押されたときには、点滅桁は、最小値へと移行する。
【０１３２】
下キーを押すことにより、点滅中の桁／コードワードを、減分／変更することができる。最小値に到達した場合に、下キーが押されたときには、点滅桁は、最大値へと移行する。
【０１３３】
注意事項：日付の入力時には、最大値および最小値は、カレンダーに則った適切な値に依存する。
【０１３４】
５．７．３  変更対象をなす桁の選択
右矢印キーを押すことにより、編集可能な次の桁を点滅させる（他の桁は、点滅させない）。最も右側の桁に到達した場合に、右キーが押されたときには、一番左の桁を点滅させる。同様に、最も左側の桁に到達した場合に、左キーが押されたときには、一番右の桁を点滅させる。
【０１３５】
これにより、すべての桁を、順次的に点滅させることができ、上キーおよび下キーを使用することによって、変更することができる。
【０１３６】
［機能的仕様］
５．７．４  パラメータ変更の承認または中止
パラメータ変更時に、設定キーを押すことにより、現在の変更値が確定される。他のキー（例えば、時刻／日付キー）が押された場合には、変更操作が中止され、元の値が保持される。その後、システムは、押されたキーに応じた機能を実行する。
【０１３７】
５．８  バッテリ容量低下状況
バッテリの容量低下が検出されたときには、システムは、パワーダウンモードを抜けるたびごとに、５秒間にわたってキーワード“Ｌｏ  Ｂａｔ”を表示する。
【０１３８】
バッテリの容量が深刻に低下したときには、システムは、もはや、バッテリが交換されるまでは、パワーダウンモードから抜け出さない。
【図面の簡単な説明】
【０１３９】
【図１】本発明の好ましい実施形態による記憶補助デバイスを示す正面図である。
【図２】図１の記憶補助デバイスを示す背面図である。
【図３】本発明の好ましい実施形態における電気回路を概略的に示す図である。
【符号の説明】
【０１４０】
１０  記憶補助デバイス
２０  容器
２１  前面パネル
２２  デジタルディスプレイ手段
２４  データ領域（部分）
２５  手書きの消去可能な表示内容
２６  インジケータライト
２７  電子的な日時計時手段
２８  デジタルデータ格納手段
２９  マイクロプロセッサ
３０  可聴音生成源
３１  ファンクションキー
３４  一次電池
３５  バッテリ隔室
３６  背面パネル
３７  バックアップバッテリ
３８  引出可能なパネル
３９  トラフ（レセプタクル）
４０  磁気的支持手段
４１  穴
【図１】
2004530903.tif 000004
【国際公開パンフレット】
2004530903.tif 000005
2004530903.tif 000006
2004530903.tif 000007
2004530903.tif 000008
2004530903.tif 000009
2004530903.tif 000010
2004530903.tif 000011
2004530903.tif 000012
2004530903.tif 000013
2004530903.tif 000014
2004530903.tif 000015
2004530903.tif 000016
2004530903.tif 000017
2004530903.tif 000018
2004530903.tif 000019
2004530903.tif 000020
2004530903.tif 000021
2004530903.tif 000022
2004530903.tif 000023
2004530903.tif 000024
2004530903.tif 000025
2004530903.tif 000026
2004530903.tif 000027
2004530903.tif 000028
2004530903.tif 000029
2004530903.tif 000030
2004530903.tif 000031
2004530903.tif 000032
2004530903.tif 000033
2004530903.tif 000034
2004530903.tif 000035
2004530903.tif 000036
2004530903.tif 000037
2004530903.tif 000038
2004530903.tif 000039
2004530903.tif 000040
2004530903.tif 000041
【手続補正書】
【提出日】平成15年8月22日(2003.8.22)
【手続補正１】
【補正対象書類名】特許請求の範囲
【補正対象項目名】全文
【補正方法】変更
【補正の内容】
【特許請求の範囲】
【請求項１】
容器を具備した記憶補助デバイスであって、
前記容器の前面パネルが、その表面上に規定された複数の部分を備え、
これら複数の部分が、手書きの消去可能な表示内容を受領し得るよう構成され、
前記前面パネルが、さらに、前記複数の部分のそれぞれに関連して設置された複数のインジケータライトを備えていることを特徴とする記憶補助デバイス。
【請求項２】
請求項１記載の記憶補助デバイスにおいて、
電子的日時計時手段を具備していることを特徴とする記憶補助デバイス。
【請求項３】
請求項１または２記載の記憶補助デバイスにおいて、
マイクロプロセッサ手段と、デジタルデータ格納手段と、を具備していることを特徴とする記憶補助デバイス。
【請求項４】
請求項１〜３のいずれか１項に記載の記憶補助デバイスにおいて、
前記前面パネルに配置されたデジタルディスプレイ手段を具備していることを特徴とする記憶補助デバイス。
【請求項５】
請求項１〜４のいずれか１項に記載の記憶補助デバイスにおいて、
可聴音アラームを鳴らし得るよう構成された可聴音生成手段を具備していることを特徴とする記憶補助デバイス。
【請求項６】
請求項１〜５のいずれか１項に記載の記憶補助デバイスにおいて、
前記デバイスに対しての電源をなす一次電池を収容するためのバッテリ隔室を具備していることを特徴とする記憶補助デバイス。
【請求項７】
請求項１〜６のいずれか１項に記載の記憶補助デバイスにおいて、
前記前面パネルに配置された複数のファンクションキーを具備していることを特徴とする記憶補助デバイス。
【請求項８】
請求項７記載の記憶補助デバイスにおいて、
前記複数のファンクションキーが、前記デジタルディスプレイ手段上に表示して前記デジタルデータ格納手段内に格納するためのデータを入力し得るよう構成されていることを特徴とする記憶補助デバイス。
【請求項９】
請求項７または８記載の記憶補助デバイスにおいて、
前記複数のファンクションキーが、前記デジタルデータ格納手段からデータを読み出し得るとともに読み出されたデータを前記デジタルディスプレイ手段上に表示し得るよう構成されていることを特徴とする記憶補助デバイス。
【請求項１０】
請求項７〜９のいずれか１項に記載の記憶補助デバイスにおいて、
前記複数のファンクションキーが、前記日時計時手段から日付データおよび時刻データを読み出し得るとともに読み出されたデータを前記デジタルディスプレイ手段上に表示し得るよう構成されていることを特徴とする記憶補助デバイス。
【請求項１１】
請求項４〜１０のいずれか１項に記載の記憶補助デバイスにおいて、
前記複数の部分の各々に関して、前記デジタルデータ格納手段内において、前記複数の部分にそれぞれ対応した前記インジケータライトに対して、前記デジタルディスプレイ手段上において設定した日付および時刻を対応づけることによって、アラーム状況を確立することを特徴とする記憶補助デバイス。
【請求項１２】
請求項３〜１１のいずれか１項に記載の記憶補助デバイスにおいて、
前記デジタルデータ格納手段が、水平方向に配置された前記複数の部分の各々に対応づけられた少なくとも日付と時刻とアラーム条件とに関しての格納手段を備えていることを特徴とする記憶補助デバイス。
【請求項１３】
請求項４〜１２のいずれか１項に記載の記憶補助デバイスにおいて、
前記デジタルディスプレイ手段が、
ａ．現在時刻と、
ｂ．現在日付と、
ｃ．前記インジケータライトの各々に対応づけられて設定された時刻と、
ｄ．前記インジケータライトの各々に対応づけられて設定された日付と、
ｅ．前記複数の部分の各々に対して確立された前記アラーム状況の現状と、
ｆ．一次電池の現在の電力蓄積量と、
を選択的に表示し得るよう構成されていることを特徴とする記憶補助デバイス。
【請求項１４】
請求項４〜１３のいずれか１項に記載の記憶補助デバイスにおいて、
前記デジタルディスプレイ手段が、初期設定表示として現在時刻を表示することを特徴とする記憶補助デバイス。
【請求項１５】
請求項１２〜１４のいずれか１項に記載の記憶補助デバイスにおいて、
前記複数の部分の各々に対応づけられた前記アラーム条件が、１回だけ駆動され得るよう、単一アラームとして設定されることを特徴とする記憶補助デバイス。
【請求項１６】
請求項１１〜１５のいずれか１項に記載の記憶補助デバイスにおいて、
前記複数の部分の各々に対応づけられた前記アラーム条件が、周期的に駆動され得るよう、周期的アラームとして設定され、
その周期的アラームのサイクルが、日単位および週単位および月単位の中から選択可能とされていることを特徴とする記憶補助デバイス。
【請求項１７】
請求項１〜１６のいずれか１項に記載の記憶補助デバイスにおいて、
前記インジケータライトが、押しボタンスイッチの形態とされていることを特徴とする記憶補助デバイス。
【請求項１８】
請求項１〜１７のいずれか１項に記載の記憶補助デバイスにおいて、
前記インジケータライトが、発光ダイオードとされていることを特徴とする記憶補助デバイス。
【請求項１９】
請求項１８記載の記憶補助デバイスにおいて、
前記インジケータライトをなす前記発光ダイオードの各々が、前記各部分にそれぞれ対応するインジケータライトに対応づけられた日付および時刻が現在日付および現在時刻に一致したときには、点滅信号を放出することを特徴とする記憶補助デバイス。
【請求項２０】
請求項１３〜１９のいずれか１項に記載の記憶補助デバイスにおいて、
前記可聴音アラームが、前記複数の部分の各々に対応づけられて格納された日付および時刻が現在日付および現在時刻に一致したときに、起動されることを特徴とする記憶補助デバイス。
【請求項２１】
請求項１８〜２０のいずれか１項に記載の記憶補助デバイスにおいて、
点滅中の押しボタンスイッチを押すことによって、前記スイッチをなす前記発光ダイオードの点滅と、前記可聴音の鳴動と、が停止することを特徴とする記憶補助デバイス。
【請求項２２】
請求項１１〜２１のいずれか１項に記載の記憶補助デバイスにおいて、
点滅中の押しボタンスイッチを押すことによって、前記デジタルデータ格納手段内において、当該部分に対応するアラーム状況が『認識』されたものとされることを特徴とする記憶補助デバイス。
【請求項２３】
請求項１９〜２２のいずれか１項に記載の記憶補助デバイスにおいて、
前記アラームが周期的アラームとして設定されている場合には、所定サイクル経過時点で、前記信号の点滅と前記可聴音アラームの鳴動とが、再開されることを特徴とする記憶補助デバイス。
【請求項２４】
請求項７〜２３のいずれか１項に記載の記憶補助デバイスにおいて、
前記複数のファンクションキーが、前記デジタルデータ格納手段から前記複数の部分の各々に関する現在アラーム条件を読み出し得るとともに前記デジタルディスプレイ手段上に表示し得るよう構成されていることを特徴とする記憶補助デバイス。
【請求項２５】
請求項１９〜２４のいずれか１項に記載の記憶補助デバイスにおいて、
前記複数のファンクションキーが、前記デジタルデータ格納手段から前記複数の部分の各々に関する設定日付と設定時刻とを読み出し得るとともに前記デジタルディスプレイ手段上に表示し得るよう構成されていることを特徴とする記憶補助デバイス。
【請求項２６】
請求項１〜２５のいずれか１項に記載の記憶補助デバイスにおいて、
前記手書きの消去可能な表示内容が、フェルトマーカーペンによって書かれたものであることを特徴とする記憶補助デバイス。
【請求項２７】
請求項１〜２５のいずれか１項に記載の記憶補助デバイスにおいて、
前記手書きの消去可能な表示内容が、鉛筆によって書かれたものであることを特徴とする記憶補助デバイス。
【請求項２８】
請求項６〜２７のいずれか１項に記載の記憶補助デバイスにおいて、
前記バッテリ隔室には、バックアップバッテリを収容するための付加的スペースが設けられ、
前記バックアップバッテリが、前記一次電池の交換時には、前記日時計時手段の機能と前記デジタル格納手段の機能とを維持するための電力を供給することを特徴とする記憶補助デバイス。
【請求項２９】
請求項１〜２８のいずれか１項に記載の記憶補助デバイスにおいて、
前記容器には、前記容器の背面パネル上に配置された磁気的支持手段が設けられ、
この磁気的支持手段は、スチール面に対して前記容器を付着させ得るよう構成されていることを特徴とする記憶補助デバイス。
【請求項３０】
請求項２９記載の記憶補助デバイスにおいて、
前記容器の背面パネルには、前記背面パネルの２つの上コーナー部分に向けて配置された複数の穴が設けられ、
これら穴は、実質的な鉛直方向面上の適切な支持取付具に対して係合し得るよう構成されていることを特徴とする記憶補助デバイス。
【請求項３１】
請求項１〜３０のいずれか１項に記載の記憶補助デバイスにおいて、
前記容器には、特定用途のデータを記録し得るよう構成された引出可能なパネルが設けられていることを特徴とする記憶補助デバイス。
【請求項３２】
請求項１〜３１のいずれか１項に記載の記憶補助デバイスにおいて、
前記容器には、前記前面パネルの底部に取り付けられたトラフの形態をなすレセプタクルが設けられ、
このレセプタクルが、マーカーペンまたは鉛筆を付帯し得るよう構成されていることを特徴とする記憶補助デバイス。
【手続補正２】
【補正対象書類名】明細書
【補正対象項目名】０００５
【補正方法】変更
【補正の内容】
【０００５】
したがって、本発明の広義な一見地においては、容器を具備した記憶補助デバイスであって、容器の前面パネルが、その表面上に規定された複数の部分を備え、これら複数の部分が、手書きの消去可能な表示内容を受領し得るよう構成され、前面パネルが、さらに、複数の部分のそれぞれに関連して設置された複数のインジケータライトを備えているような記憶補助デバイスが提供される。


【手続補正３】
【補正対象書類名】明細書
【補正対象項目名】００１５
【補正方法】変更
【補正の内容】
【００１５】
好ましくは、複数の部分の各々に関して、デジタルデータ格納手段内において、複数の部分にそれぞれ対応したインジケータライトに対して、デジタルディスプレイ手段上において設定した日付および時刻を対応づけることによって、アラーム状況が確立される。


【手続補正４】
【補正対象書類名】明細書
【補正対象項目名】００１６
【補正方法】変更
【補正の内容】
【００１６】
好ましくは、デジタルデータ格納手段は、水平方向に配置された複数の部分の各々に対応づけられた少なくとも日付と時刻とアラーム条件とに関しての格納手段を備えている。


【手続補正５】
【補正対象書類名】明細書
【補正対象項目名】００１７
【補正方法】変更
【補正の内容】
【００１７】
好ましくは、デジタルディスプレイ手段は、
ａ．現在時刻と、
ｂ．現在日付と、
ｃ．インジケータライトの各々に対応づけられて設定された時刻と、
ｄ．インジケータライトの各々に対応づけられて設定された日付と、
ｅ．複数の部分の各々に対して確立されたアラーム状況の現状と、
ｆ．一次電池の現在の電力蓄積量と、
を選択的に表示し得るよう構成されている。


【手続補正６】
【補正対象書類名】明細書
【補正対象項目名】００１９
【補正方法】変更
【補正の内容】
【００１９】
好ましくは、複数の部分の各々に対応づけられたアラーム条件は、１回だけ駆動され得るよう、単一アラームとして設定されることを特徴とする記憶補助デバイス。


【手続補正７】
【補正対象書類名】明細書
【補正対象項目名】００２０
【補正方法】変更
【補正の内容】
【００２０】
好ましくは、複数の部分の各々に対応づけられたアラーム条件は、周期的に駆動され得るよう、周期的アラームとして設定され、その周期的アラームのサイクルは、日単位および週単位および月単位の中から選択可能とされている。


【手続補正８】
【補正対象書類名】明細書
【補正対象項目名】００２３
【補正方法】変更
【補正の内容】
【００２３】
好ましくは、インジケータライトをなす発光ダイオードの各々は、各部分にそれぞれ対応するインジケータライトに対応づけられた日付および時刻が現在日付および現在時刻に一致したときには、点滅信号を放出する。


【手続補正９】
【補正対象書類名】明細書
【補正対象項目名】００２４
【補正方法】変更
【補正の内容】
【００２４】
好ましくは、可聴音アラームは、複数の部分の各々に対応づけられて格納された日付および時刻が現在日付および現在時刻に一致したときに、起動される。


【手続補正１０】
【補正対象書類名】明細書
【補正対象項目名】００２６
【補正方法】変更
【補正の内容】
【００２６】
好ましくは、点滅中の押しボタンスイッチを押すことによって、デジタルデータ格納手段内において、当該部分に対応するアラーム状況が『認識』されたものとされる。


【手続補正１１】
【補正対象書類名】明細書
【補正対象項目名】００２８
【補正方法】変更
【補正の内容】
【００２８】
好ましくは、複数のファンクションキーは、デジタルデータ格納手段から複数の部分の各々に関する現在アラーム条件を読み出し得るとともにデジタルディスプレイ手段上に表示し得るよう構成されている。


【手続補正１２】
【補正対象書類名】明細書
【補正対象項目名】００２９
【補正方法】変更
【補正の内容】
【００２９】
好ましくは、複数のファンクションキーは、デジタルデータ格納手段から複数の部分の各々に関する設定日付と設定時刻とを読み出し得るとともにデジタルディスプレイ手段上に表示し得るよう構成されている。




【国際調査報告】
2004530903.tif 000042
2004530903.tif 000043
2004530903.tif 000044